(57)【要約】【課題】  低コストで安全性を向上させたインバータ内蔵圧縮機を提供する。【解決手段】  圧縮機１を、モータと、モータによって駆動される圧縮機構部と、開口部を有し内部にモータが収納される第一収納部６（ハウジング本体）と、第一収納部６に装着されて開口部を閉塞する第二収納部７（蓋部）と、第二収納部７を第一収納部６に固定する固定部材８と、第一収納部６に設けられてモータの動作を制御するコントローラ（インバータ）３と、コントローラに給電を行う給電部４と、コントローラ３を覆う保護カバー１２と、保護カバー１２がコントローラ３から外された状態では給電部４によるコントローラ３への給電を停止させるかもしくは所定の安全対策動作を行う電源制御装置５とを有する構成とする。保護カバー１２を、コントローラ３を覆った状態では固定部材８の操作部８ａを覆って固定部材８の操作を規制する形状とする。【選択図】      図１
2006322444.tif 000002
【特許請求の範囲】
【請求項１】
モータと、
該モータによって駆動される圧縮機構部と、
開口部を有し内部に前記モータが収納されるハウジング本体と、
該ハウジング本体に装着されて前記開口部を閉塞する蓋部と、
該蓋部を前記ハウジング本体に固定する固定部材と、
前記ハウジング本体外に設けられて前記モータの動作を制御するインバータと、
該インバータに給電を行う給電部と、
前記インバータを覆う保護カバーと、
該保護カバーが前記インバータを覆っている状態では前記給電部による前記インバータへの給電を許容し、前記保護カバーが前記インバータから外された状態では前記給電部による前記インバータへの給電を停止させるかもしくは所定の安全対策動作を行う電源制御装置とを有し、
前記保護カバーが、前記インバータを覆った状態では前記固定部材の操作部を覆って該固定部材の操作を規制する形状とされているインバータ内蔵圧縮機。
【請求項２】
前記保護カバーが、前記インバータを覆うカバー本体と、
前記固定部材を覆う固定部材カバー部とを有しており、
該固定部材カバー部が、前記保護カバーの前記インバータに対する装着方向に平行な板状をなしている請求項１記載のインバータ内蔵圧縮機。
【請求項３】
前記カバー本体と前記固定部材カバー部とが、前記カバー本体の前記インバータに対する装着方向と平行でかつ前記固定部材カバー部と交差する板状の接続部を介して接続されている請求項２記載のインバータ内蔵圧縮機。
【請求項４】
モータと、
該モータによって駆動される圧縮機構部と、
開口部を有し内部に前記モータが収納されるハウジング本体と、
該ハウジング本体に装着されて前記開口部を閉塞する蓋部と、
該蓋部を前記ハウジング本体に固定する固定部材と、
前記ハウジング本体外に設けられて前記モータの動作を制御するインバータと、
該インバータに給電を行う給電部と、
前記インバータを覆う保護カバーと、
該保護カバーが前記インバータを覆っている状態では前記給電部による前記インバータへの給電を許容し、前記保護カバーが前記インバータから外された状態では前記給電部による前記インバータへの給電を停止させるかもしくは所定の安全対策動作を行う電源制御装置とを有し、
前記保護カバーが、前記インバータを覆うカバー本体と、
前記保護カバーが前記インバータを覆った状態では前記ハウジング本体から前記蓋部を取り外す際の該蓋部の移動経路上に張り出すストッパー部とを有しているインバータ内蔵圧縮機。
【請求項５】
前記ストッパー部が、前記固定部材によって前記ハウジング本体及び前記蓋部とともに固定されている請求項４記載のインバータ内蔵圧縮機。
【請求項６】
空気調和装置の冷媒回路を構成するインバータ内蔵圧縮機であって、
前記インバータは、前記ハウジング本体のうち、冷媒取入口近傍に熱伝達を可能にして設けられている請求項１から５のいずれかに記載のインバータ内蔵圧縮機。
【発明の詳細な説明】
【技術分野】
【０００１】
本発明は、安全装置を備えたインバータ内蔵圧縮機に関するものである。
【背景技術】
【０００２】
空気調和装置の冷媒回路では、室内熱交換器または室外熱交換器によって熱交換が行われた低温の冷媒を、圧縮機によって圧縮して高温高圧の気体冷媒として送出し、再度冷媒回路内を循環させている。
このような圧縮機には、モータを内蔵する圧縮機構部外に、モータに供給する電圧を制御することによってモータの動作を制御するインバータが設けられているものがある。
インバータには、モータの駆動電圧として高電圧が供給されている。例えば車載用空気調和装置の圧縮機では、インバータには３１０Ｖ程度の電圧が供給されている。このため、インバータの通電部はケーシング内に収められていて、不用意な接触等による感電事故が防止されている。
【０００３】
さらに、インバータには、整備等の際に、作業者が電源を切り忘れるなどして通電状態で作業してしまうことがないよう、安全装置が設けられている。
このような安全装置としては、例えば後記の特許文献１に記載の電源遮断装置が知られている。
この電源遮断装置は、異常時に電源ラインを遮断する電源遮断手段（ブレーカ）と、電源ラインのターミナル部を保護する保護カバーと、保護カバーの着脱に連動して電源ラインをオン／オフするスイッチ手段と、スイッチ手段のオフ時に電源ラインを遮断するブレーカドライブ手段とを有している。
この電源遮断装置は、保護カバーのうち一つでも装着されていない場合には、ブレーカドライブ手段が電源遮断手段を作動させて電源ラインを遮断する構成とされている。
【０００４】
【特許文献１】特開平６−６９３３号公報
【発明の開示】
【発明が解決しようとする課題】
【０００５】
しかし、圧縮機は、圧縮機構部を分解することで、モータの通電部が露出する。また、インバータに通電されている場合には、圧縮機を分解した状態で不意にモータが動作してしまう可能性もある。
このため、従来は、圧縮機には、電源を切り忘れた場合の安全装置を、インバータと圧縮機構部とのそれぞれに設ける必要があり、構造が複雑になるとともに、製造コストの増大を招いていた。
【０００６】
本発明は、このような事情に鑑みてなされたものであって、低コストで安全性を向上させたインバータ内蔵圧縮機（以下、単に「圧縮機」とする）を提供することを目的とする。
【課題を解決するための手段】
【０００７】
上記課題を解決するために、本発明は以下の手段を採用する。
すなわち、本発明は、モータと、該モータによって駆動される圧縮機構部と、開口部を有し内部に前記モータが収納されるハウジング本体と、該ハウジング本体に装着されて前記開口部を閉塞する蓋部と、該蓋部を前記ハウジング本体に固定する固定部材と、前記ハウジング本体外に設けられて前記モータの動作を制御するインバータと、該インバータに給電を行う給電部と、前記インバータを覆う保護カバーと、該保護カバーが前記インバータを覆っている状態では前記給電部による前記インバータへの給電を許容し、前記保護カバーが前記インバータから外された状態では前記給電部による前記インバータへの給電を停止させるかもしくは所定の安全対策動作を行う電源制御装置とを有し、前記保護カバーが、前記インバータを覆った状態では前記固定部材の操作部を覆って該固定部材の操作を規制する形状とされているインバータ内蔵圧縮機を提供する。
【０００８】
このように構成される圧縮機では、保護カバーによってインバータが覆われている状態では、電源制御装置が給電部からインバータへの給電を許容するので、圧縮機を動作させることが可能である。
また、インバータから保護カバーが外された状態では、電源制御装置が給電部からインバータへの給電を停止させるか、もしくは所定の安全対策動作を行わせるので、インバータとの不用意な接触による感電等が防止される。ここで、安全対策動作としては、例えば、インバータ内のコンデンサ等の高電圧部品や高電圧回路を放電させたり、給電部からの高電圧の給電は停止しつつ低電圧の給電は継続してインバータの一部の機能を継続動作させるなどの動作がある。
【０００９】
一方、この圧縮機では、ハウジング本体に対して固定部材によって蓋部が固定されており、作業者がハウジング本体から蓋部を取り外してハウジング本体内にアクセスするためには、固定部材を操作する必要がある。
本発明にかかる圧縮機では、保護カバーがインバータを覆った状態では、保護カバーが固定部材の操作部を覆って固定部材の操作を規制する。例えば、固定部材がボルトである場合には、保護カバーはボルトの頭部を覆ってボルトの操作を規制する。
このため、作業者が固定部材を操作するには、インバータから保護カバーを取り外す必要がある。
【００１０】
すなわち、この圧縮機では、作業者がインバータにアクセスする場合とハウジング本体内にアクセスする場合のいずれの場合においても、インバータから保護カバーを取り外す必要がある。さらに、前記のように、インバータから保護カバーを取り外すことで、インバータへの給電が停止するか安全対策がとられる。
なお、この圧縮機の蓋部が複数の固定部材によってハウジング本体に固定されている場合には、保護カバーは、少なくとも一つの固定部材を覆う構成とすればよい。
ここで、電源制御装置は、給電部とインバータとを接続する配線の一部がインバータと保護カバーとにまたがって設けられていて、インバータから保護カバーを取り外すことで配線が切り離されてインバータへの給電が停止される構成としてもよい。
また、電源制御装置は、保護カバーの取り外しを検出するセンサーを有し、このセンサーによって保護カバーの取り外しが検知されたことをもって安全対策動作をとる構成としてもよい。
【００１１】
この圧縮機において、前記保護カバーが、前記インバータを覆うカバー本体と、前記固定部材を覆う固定部材カバー部とを有しており、該固定部材カバー部は、前記保護カバーの前記インバータに対する装着方向に平行な板状をなしていてもよい。
このように構成される圧縮機では、保護カバーをインバータに装着する際に、保護カバーをインバータに対する装着方向に移動させることで、固定部材カバー部がその面に沿って平行移動して、固定部材に対向する位置に到達する。すなわち、保護カバーに多少の寸法公差や組立公差があっても、固定部材カバー部が他の部品と干渉せず、保護カバーに応力集中が生じないので、長期間使用しても疲労破壊等の損傷が生じにくい。
【００１２】
ここで、前記カバー本体と前記固定部材カバー部とが、前記カバー本体の前記インバータに対する装着方向と平行でかつ前記固定部材カバー部と交差する板状の接続部を介して接続されていてもよい。
この場合には、保護カバーが複数方向に屈曲した形状をなしているので、曲げ剛性が高く、固定部材カバー部に力を加えても、固定部材に対向する部位から変位させることが困難であるので、保護カバーを外さない状態で不用意に固定部材を操作してしまうことがない。
【００１３】
モータと、該モータによって駆動される圧縮機構部と、開口部を有し内部に前記モータが収納されるハウジング本体と、該ハウジング本体に装着されて前記開口部を閉塞する蓋部と、該蓋部を前記ハウジング本体に固定する固定部材と、前記ハウジング本体外に設けられて前記モータの動作を制御するインバータと、該インバータに給電を行う給電部と、前記インバータを覆う保護カバーと、該保護カバーが前記インバータを覆っている状態では前記給電部による前記インバータへの給電を許容し、前記保護カバーが前記インバータから外された状態では前記給電部による前記インバータへの給電を停止させるかもしくは所定の安全対策動作を行う電源制御装置とを有し、前記保護カバーが、前記インバータを覆うカバー本体と、前記保護カバーが前記インバータを覆った状態では前記ハウジング本体から前記蓋部を取り外す際の該蓋部の移動経路上に張り出すストッパー部とを有しているインバータ内蔵圧縮機を提供する。
【００１４】
このように構成される圧縮機では、保護カバーによってインバータが覆われている状態では、電源制御装置が給電部からインバータへの給電を許容するので、圧縮機を動作させることが可能である。
また、インバータから保護カバーが外された状態では、電源制御装置が給電部からインバータへの給電を停止させるか、もしくは所定の安全対策動作を行わせるので、インバータとの不用意な接触による感電等が防止される。ここで、安全対策動作としては、例えば、インバータ内のコンデンサ等の高電圧部品や高電圧回路を放電させたり、給電部からの高電圧の給電は停止しつつ低電圧の給電は継続してインバータの一部の機能を継続動作させるなどの動作がある。
【００１５】
一方、この圧縮機では、保護カバーがインバータを覆った状態では、保護カバーのストッパー部が、ハウジング本体から蓋部を取り外す際の蓋部の移動経路上に張り出している。これにより、保護カバーがインバータを覆った状態では、ハウジング本体から蓋部を取り外そうとしても、ストッパー部が蓋部に干渉して、蓋部を取り外すことができない。
このように、この圧縮機では、作業者がハウジング本体から蓋部を取り外してハウジング本体内にアクセスするには、保護カバーを取り外す必要がある。
【００１６】
上記のように、この圧縮機では、作業者がインバータにアクセスする場合とハウジング本体内にアクセスする場合のいずれの場合においても、インバータから保護カバーを取り外す必要がある。さらに、前記のように、インバータから保護カバーを取り外すことで、インバータへの給電が停止するか安全対策がとられる。
【００１７】
ここで、電源制御装置は、給電部とインバータとを接続する配線の一部がインバータと保護カバーとにまたがって設けられていて、インバータから保護カバーを取り外すことで配線が切り離されてインバータへの給電が停止される構成としてもよい。
また、電源制御装置は、保護カバーの取り外しを検出するセンサーを有し、このセンサーによって保護カバーの取り外しが検知されたことをもって安全対策動作をとる構成としてもよい。
【００１８】
ここで、ストッパー部が、前記固定部材によって前記ハウジング本体及び前記蓋部とともに固定されていてもよい。
この場合には、作業者が固定部材によるハウジング本体と蓋部との固定を解除する際に、ストッパー部の存在を知ることができる。すなわち、この構成では、作業者は、保護カバーを外さなければ蓋部を取り外すことができないということを速やかに理解することができるので、分解作業を速やかに行うことができる。
【００１９】
また、上記圧縮機は、空気調和装置の冷媒回路を構成する圧縮機であって、前記インバータは、前記ハウジング本体のうち、冷媒取入口近傍に熱伝達を可能にして設けられていてもよい。
【００２０】
空気調和装置の冷媒回路を構成する圧縮機は、室内熱交換器または室外熱交換器による熱交換を終えた低温の気体冷媒を圧縮して高温高圧の気体冷媒として送出するものである。このため、冷媒取入口側では、ハウジング本体の温度は比較的低温となっている。
そこで、上記のように、圧縮機のモータの動作を制御するインバータを、ハウジング本体の冷媒取入口近傍に、ハウジング本体との間での熱伝達を可能にして設けることで、ハウジング本体にインバータの熱を逃がして、インバータを冷却することができる。
このようにインバータを冷却することで、例えば空気調和装置を車両のエンジンルーム内等の高温環境下に設置する場合にも、特別な冷却構造を用いることなしに、インバータを構成する電子部品への熱による影響を低減することができ、圧縮機の信頼性を低コストで向上させることができる。
【発明の効果】
【００２１】
本発明にかかる圧縮機によれば、一つの安全装置で、作業者がインバータにアクセスする場合とハウジング本体内にアクセスする場合のいずれの場合においても安全を確保することができ、コストをかけずに高い安全性を確保することができる。
【発明を実施するための最良の形態】
【００２２】
以下に、本発明の実施形態について、図面を参照して説明する。
［第一実施形態］
以下、本発明の第一実施形態について、図１から図３を用いて説明する。
本実施形態では、本発明を、図１に示す空気調和装置の冷媒回路を構成する圧縮機１に適用した例を示す。
圧縮機１は、モータと、モータによって駆動される圧縮機構部と、これらを収納するハウジング２と、ハウジング２の外側に設けられてモータの動作を制御するコントローラ３（インバータ回路）と、コントローラ３に給電を行う給電部４と、コントローラ３及び給電部４の動作を制御する電源制御装置５とを有している。
【００２３】
ハウジング２は、軸線を略水平にして設置される中空円柱形状をなしている。
具体的には、ハウジング２は、図１及び図２に示すように、一端に開口部を有する有底円筒形状の第一収納部６（ハウジング本体）と、一端に開口部を有する有底円筒形状の第二収納部７（蓋部）と、第一収納部６と第二収納部７とを開口部同士が向かい合った状態にして着脱可能に固定する固定部材８とを有している。
【００２４】
本実施形態では、第一収納部６の一端側には外形が略四角形状をなす外フランジ６ａが設けられており、外フランジ６ａの各コーナー部には、それぞれ軸線方向に沿ったねじ穴が形成されている。
第二収納部７の一端側には外形が略四角形状をなす外フランジ７ａが設けられており、外フランジ７ａの各コーナー部には、外フランジ６ａにおけるねじ穴の配置と同じ配置にして、それぞれ貫通孔が形成されている。
また、固定部材８としては、外フランジ７ａの貫通孔に第二収納部７の他端側から挿通されて第一収納部６の外フランジ６ａのねじ穴に螺合されるボルトが用いられている。
【００２５】
第一、第二収納部６，７は、図２に示すように、外フランジ６ａと外フランジ７ａとを突き合わせ、かつ外フランジ６ａの各ねじ穴と外フランジ７ａの各貫通孔とを対向させた状態で、第二収納部７の他端側から各貫通孔にそれぞれ固定部材８であるボルトを挿通して、このボルトを各貫通孔に対応するねじ穴と螺合することによって固定される。すなわち、固定部材８であるボルトは、その軸線をハウジング２の軸線に略平行にしてねじ穴に螺合されており、その頭部８ａ（操作部）は、第二収納部７の外フランジ７ａの他端側に位置している。
【００２６】
第一収納部６の他端側には、内部に低圧冷媒室が設けられており、この低圧冷媒室には、第一収納部６の側面に設けられた冷媒取入口６ｂを介して、空気調和装置の室内熱交換器または室外熱交換器を通過した冷媒が送り込まれるようになっている。
すなわち、第一収納部６の冷媒取入口６ｂ近傍部分は、ハウジング２の他の部分に比べて低温とされている。
【００２７】
ハウジング２の上面には、ハウジング２の長手方向に沿って圧縮機基台２ａが設けられており、この圧縮機基台２ａ上には、コントローラ３が収納される保護ケース１１が設けられている。
ここで、圧縮機基台２ａは、アルミニウムやアルミニウム基合金等の熱伝導率の高い材質によって構成されている。また、コントローラ３は、保護ケース１１内において第一収納部６の冷媒取入口６ｂ近傍位置に配置されている。
【００２８】
これにより、第一収納部６とコントローラ３との間で熱伝達が高効率で行われて、第一収納部６にコントローラ３の熱が効率的に逃がされるので、例えば空気調和装置を車両のエンジンルーム内等の高温環境下に設置する場合にも、特別な冷却構造を用いることなしに、コントローラ３を構成する電子部品への熱による影響を低減することができ、圧縮機の信頼性を低コストで向上させることができる。なお、当然ながら、コントローラ３上の回路と保護ケース１１及び圧縮機基台２ａとは絶縁されている。
【００２９】
保護ケース１１は、図３に示すように、上面が開口され底面外側を圧縮機基台２ａに固定される長方形箱形状のケース本体１１ａと、ケース本体１１ａの開口部に対して着脱可能にして設けられて開口部を閉塞する蓋部１１ｂとを有している。
ケース本体１１ａは、熱伝導性を有しており、これによって、コントローラ３と圧縮機基台２ａとの間での熱伝達（熱伝導）が許容されている。
蓋部１１ｂは、ケース本体１１ａに対して例えばねじ等の固定部材によって固定されており、固定部材を全て取り外さなければコントローラ３にアクセスすることができないようになっている。
【００３０】
図１及び図２に示すように、保護ケース１１には、蓋部１１ｂを覆う保護カバー１２が、ねじ等の固定部材１３によって固定されており、固定部材１３を全て取り外さなければ蓋部１１ｂを固定している固定部材にアクセスすることができないようになっている。
保護カバー１２は、蓋部１１ｂを上面側から覆うカバー本体１２ａと、ハウジング２の上部に設けられる固定部材８のうちの一方の操作部８ａを覆う固定部材カバー部１２ｂとを有している。
【００３１】
本実施形態では、カバー本体１２ａは、ハウジング２の長手方向に沿った略長方形平板形状をなしており、その第二収納部７側の端部には、幅方向の端部から第二収納部７の側方で下方に延びる接続部１２ｃが設けられている。この保護カバー１２は、カバー本体１２を略水平にした状態で、保護ケース１１に対して上方から装着されるものである。
接続部１２ｃは、カバー本体１２ａに対して略直交する板状をなしており、その下端には、第二収納部７の他端側に、カバー本体１２ａ及び接続部１２ｃに略直交させて板状の固定部材カバー部１２ｂが設けられている。
【００３２】
すなわち、固定部材カバー部１２ｂは、カバー本体１２ａに対して、保護カバー１２のコントローラ３に対する装着方向（この場合は垂直方向）に略平行でかつ固定部材カバー部１２ｂと交差する板状の接続部１２ｃを介して接続されている。そして、固定部材カバー部１２ｂは、ハウジング２の軸線に略直交させて設けられていて、これによって固定部材８の頭部８ａが、軸線方向から固定部材カバー部１２ｂによって覆われている。
また、接続部１２ｃには、第二収納部７の側方に突出する突出部１２ｄが設けられている。この突出部１２ｄは、第二収納部７の側方に設けられた取付台７ｂに対して、ねじ等の固定部材１３によって固定されている。
【００３３】
保護カバー１２には、蓋部１１ｂに対向する部位に、それぞれ一端を電源制御装置５と接続された一対の信号線１６ａ，１６ｂが、他端を露出した状態にして取り付けられている。これら信号線１６ａ，１６ｂの他端には、それぞれ接点Ｐが設けられている。
蓋部１１ｂの上面（外面）には、蓋部１１ｂに保護カバー１２を装着した状態で信号線１６ａ，１６ｂの接点Ｐに対向する位置に、導体１１ｃが設けられている。この導体１１ｃは、蓋部１１ｂに保護カバー１２が装着された状態でのみ信号線１６ａ，１６ｂの接点Ｐと接触してこれらを導通させるものである。
【００３４】
電源制御装置５は、保護カバー１２が蓋部１１ｂを覆っている状態（すなわちコントローラ３を覆っている状態）では給電部４によるコントローラ３への給電を許容し、保護カバー１２が蓋部１１ｂから外された状態（すなわちコントローラ３から外された状態）では給電部４によるコントローラ３への給電を停止させるかもしくは所定の安全対策動作を行う構成とされている。
電源制御装置５は、一対の信号線１６ａ，１６ｂが導通している状態では保護カバー１２が蓋部１１ｂを覆っているものと判定し、信号線１６ａ，１６ｂが導通していない状態では保護カバー１２が蓋部１１ｂから外されているものと判定する。
本実施形態では、上記の電源制御装置５と保護カバー１２とによって、圧縮機の安全装置が構成されている。
【００３５】
このように構成される圧縮機１では、保護カバー１２によってコントローラ３が覆われている状態では、電源制御装置５が給電部４からコントローラ３への給電を許容するので、圧縮機１を動作させることが可能である。
また、コントローラ３から保護カバー１２が外された状態では、電源制御装置５が給電部４からコントローラ３への給電を停止させるか、もしくは所定の安全対策動作を行わせるので、コントローラ３との不用意な接触による感電等が防止される。ここで、安全対策動作としては、例えば、コントローラ３内のコンデンサ等の高電圧部品や高電圧回路を放電させたり、給電部４からの高電圧の給電は停止しつつ低電圧の給電は継続してコントローラ３の一部の機能を継続動作させるなどの動作がある。
【００３６】
一方、この圧縮機１では、第一収納部６に対して第二収納部７が固定部材８によって固定されており、作業者が第一収納部６から第二収納部７を取り外してハウジング内にアクセスするためには、固定部材８を操作する必要がある。
この圧縮機１では、保護カバー１２がコントローラ３を覆った状態では、保護カバー１２が固定部材８の操作部８ａを覆って固定部材８の操作を規制する。すなわち、本実施形態では、保護カバー１２は、固定部材８であるボルトの頭部（操作部８ａ）を覆ってボルトの操作を規制する。
このため、作業者が固定部材８を操作するには、コントローラ３から保護カバー１２を取り外す必要がある。
【００３７】
すなわち、この圧縮機１では、作業者がコントローラ３にアクセスする場合とハウジング２内にアクセスする場合のいずれの場合においても、コントローラ３から保護カバー１２を取り外す必要がある。前記のように、コントローラ３から保護カバー１２を取り外すことで、コントローラ３への給電が停止するか安全対策がとられる。
【００３８】
これにより、この圧縮機１によれば、一つの安全装置で、作業者がコントローラ３にアクセスする場合とハウジング２内にアクセスする場合のいずれの場合においても安全を確保することができ、コストをかけずに高い安全性を確保することができる。
【００３９】
また、この圧縮機１では、保護カバー１２の固定部材カバー部１２ｂが、保護カバー１２のコントローラ３に対する装着方向に平行な板状をなしているので、保護カバー１２をコントローラ３に装着する際に、保護カバー１２をコントローラ３に対する装着方向に移動させることで、固定部材カバー部１２ｂがその面に沿って平行移動して、固定部材８に対向する位置に到達する。
すなわち、保護カバー１２に多少の寸法公差や組立公差があっても、固定部材カバー部１２ｂが他の部品と干渉せず、保護カバー１２に応力集中が生じないので、長期間使用しても疲労破壊等の損傷が生じにくい。
【００４０】
また、この圧縮機１では、カバー本体１２ａと固定部材カバー部１２ｂとが、カバー本体１２ａのコントローラ３に対する装着方向と平行でかつ固定部材カバー部１２ｂと交差する板状の接続部１２ｃを介して接続されている。すなわち、保護カバー１２が複数方向に屈曲した形状をなしているので、曲げ剛性が高く、固定部材カバー部１２ｂに力を加えても、固定部材８に対向する部位から変位させることが困難であるので、保護カバー１２を外さない状態で不用意に固定部材８を操作してしまうことがない。
【００４１】
ここで、上記実施の形態では、保護カバー１２に一対の信号線１６ａ，１６ｂの接点Ｐを設け、保護ケース１１の蓋部１１ｂには、一対の信号線１６ａ，１６ｂを接続する導体１１ｃを設けた例を示したが、これに限られることなく、例えば、接点Ｐや導体１１ｃを設ける代わりに、保護カバー１２に、蓋部１１ｂに取り付けられている状態でスイッチがＯＮとなるリミットスイッチ等のセンサーを設けて、電源制御装置５が、このセンサーの検出結果に基づいて保護カバー１２の取り外しを検知する構成としてもよい。
【００４２】
また、導体１１ｃを設ける代わりに、図３に二点差線で示すように、信号線１６ａ，１６ｂをコントローラ３に接続する配線１１ｄ、１１ｅを設けて、コントローラ３を、信号線１６ａ，１６ｂを介して電源制御装置５と接続されているかどうかを検出して、接続が行われていない場合には保護カバー１２が取り外されているものと判断して、安全対策動作を行う構成としてもよい。
【００４３】
［第二実施形態］
以下、本発明の第二実施形態にかかる圧縮機について、図４を用いて説明する。
図４に示すように、本実施形態にかかる圧縮機２１は、第一実施形態で示した圧縮機１において、安全装置を構成する保護カバー１２の代わりに、保護カバー２２を用いたことを主たる特徴とするものである。以下、第一実施形態と同様または同一の部材については同じ符号を用いて示し、詳細な説明を省略する。
【００４４】
保護カバー２２は、保護カバー１２において、固定部材カバー部１２ｂ及び接続部１２ｃをなくし、その代わりに、カバー本体１２ａがコントローラ３を覆った状態では第一収納部６から第二収納部７を取り外す際の第二収納部７の移動経路上に張り出すストッパー部２２ｂを設けたものである。
具体的には、保護カバー２２は、カバー本体１２ａの第二収納部７側の端部に、ハウジング２の軸線に略直交する面に沿って下方に延びる（すなわち保護カバー２２のコントローラ３に対する装着方向に略平行な）板状のストッパー部２２ｂを有している。
本実施形態では、ストッパー部２２ｂは、接続部２２ｃを介してカバー本体１２ａに接続されている。
【００４５】
接続部２２ｃは、保護ケース１１の表面及びハウジング２の表面に沿った形状に形成されている。具体的には、カバー本体１２ａの第二収納部７側の端部に、この端縁からハウジング２の軸線に略直行する面に沿って下方に向けて延びる垂直部２２ｄと、この垂直部２２ｄの下端からハウジング２の軸線方向に沿って第二収容部７の底部側に向けて延びる水平部２２ｅとを有している。
さらに、ストッパー部２ｂは、水平部２２ｅの先端に接続されており、固定部材８であるボルトのうちの一つによって、第一収納部６及び第二収納部７とともに共締めされて、第一、第二収納部６，７に固定されている。
【００４６】
また、本実施形態では、保護ケース１１内に設けられる蓋部１１ｂには、コントローラ３への給電用の端子が設けられており、給電部４は、コントローラ３への給電用の給電ケーブル４ａと、給電ケーブル４ａの端部に設けられて給電ケーブル４ａと蓋部１１ｂの給電用の端子とを接続するコネクタ４ｂとを有する構成とされている。
保護カバー２２のカバー本体１２ａには、コネクタ４ｂが装着されるコネクタ装着部２２ｆが設けられており、コネクタ４ｂをコネクタ装着部２２ｆに装着することで、給電ケーブル４ａを蓋部１１ｂの給電用の端子と接続することができるようになっている。
【００４７】
このように構成される圧縮機２１では、第一実施形態で示した圧縮機１と同様に、作業者がコントローラ３にアクセスする場合には、コントローラ３から保護カバー２２を取り外す必要がある。
また、この圧縮機２１では、保護カバー２２がコントローラ３を覆った状態では、保護カバー２２のストッパー部２２ｂが、第一収納部６から第二収納部７を取り外す際の第二収納部７の移動経路上に張り出している。これにより、保護カバー２２がコントローラ３を覆った状態では、第一収納部６から第二収納部７を取り外そうとしても、ストッパー部２２ｂが第二収納部７に干渉して、第二収納部７を取り外すことができない。
このように、この圧縮機２１では、作業者が第一収納部６から第二収納部７を取り外してハウジング２内にアクセスするには、保護カバー２２を取り外す必要がある。
【００４８】
上記のように、この圧縮機２１では、作業者がコントローラ３にアクセスする場合とハウジング２内にアクセスする場合のいずれの場合においても、コントローラ３から保護カバー２２を取り外す必要がある。さらに、前記のように、コントローラ３から保護カバー２２を取り外すことで、コントローラ３への給電が停止するか安全対策がとられる。
これにより、この圧縮機２１によれば、一つの安全装置で、作業者がコントローラ３にアクセスする場合とハウジング２内にアクセスする場合のいずれの場合においても安全を確保することができ、コストをかけずに高い安全性を確保することができる。
【００４９】
また、この圧縮機２１によれば、保護カバー２２の形状が単純であるので製造コストが低い。加えて、この圧縮機２１では、ハウジング２に取付台７ｂを設けずに済むので、ハウジング２の形状をシンプルにして、ハウジング２の成形性を向上して、歩留まりを向上させることができる。
さらに、この圧縮機２１では、保護カバ−２２と取付台７ｂとを固定する固定部材１３が不要となるので、部品点数が少なくて済み、これによって組立工数も少なくて済むので、製造コストが低い。
【００５０】
また、この圧縮機２１では、ストッパー部２ｂは、水平部２２ｅの先端に接続されており、固定部材８のうちの一つによって、第一収納部６及び第二収納部７とともに共締めされて、第一、第二収納部６，７に固定されている。
これにより、作業者が固定部材８による第一収納部６と第二収納部７との固定を解除する際に、ストッパー部２２ｂの存在を知ることができる。すなわち、この圧縮機２１では、作業者は、保護カバー２２を外さなければ第二収納部７を取り外すことができないということを速やかに理解することができるので、分解作業を速やかに行うことができる。
【００５１】
さらに、この圧縮機２１では、給電部４の給電ケーブル４ａと蓋部１１ｂの給電用の端子とを接続するコネクタ４ｂが、保護カバー２２のカバー本体１２ａに装着されている。このため、この圧縮機２１では、保護カバー２２を保護ケース１１から取り外すと、給電ケーブル４ａと蓋部１１ｂの給電用の端子との接続が切断されて、給電部４によるコントローラ３への給電が停止されるので、作業者の安全性をより確実に確保することができる。
【００５２】
ここで、本実施形態では、保護カバー２２の接続部２２ｃが、垂直部２２ｄと水平部２２ｅとを有している構成を示したが、これに限られることなく、図５に示すように、接続部２２ｃが、水平部２２ｅのみによって構成されていてもよい。この場合には、保護カバー２２の形状がよりシンプルになるので、製造コストをさらに低減することができる。
【図面の簡単な説明】
【００５３】
【図１】本発明の第一実施形態にかかる圧縮機の構成を示す斜視図である。
【図２】本発明の第一実施形態にかかる圧縮機の構成を示す一部破断側面図である。
【図３】本発明の第一実施形態にかかる圧縮機の構成を示す縦断面図である。
【図４】本発明の第二実施形態にかかる圧縮機の構成を示す側面図である。
【図５】本発明の第二実施形態にかかる圧縮機に用いられる保護カバーの他の形態例を示す斜視図である。
【符号の説明】
【００５４】
１，２１  圧縮機
３  コントローラ（インバータ）
４  給電部
５  電源制御装置
６  第一収納部（ハウジング本体）
６ｂ  冷媒取入口
７  第二収納部（蓋部）
８  固定部材
８ａ  操作部
１２，２２  保護カバー
１２ａ  カバー本体
１２ｂ  固定部材カバー部
１２ｃ，２２ｃ  接続部
２２ｂ  ストッパー部
【図１】
2006322444.tif 000003
【図２】
2006322444.tif 000004
【図３】
2006322444.tif 000005
【図４】
2006322444.tif 000006
【図５】
2006322444.tif 000007